【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段により得られた画像データを用いてＲＡＷ画像データを生成する生成手段と、
記録指示に応じて、前記生成手段により生成された前記ＲＡＷ画像データを記録媒体に記録する記録手段と、
前記記録指示に応じて前記記録手段により前記記録媒体に記録される前記ＲＡＷ画像データを前記記録媒体に保存する対象として設定するか否かを、ユーザの指示に応じて制御する設定手段と、
ＲＡＷ画像データに現像処理を施し、現像された画像データを生成する現像手段と、
前記記録媒体に記録された前記ＲＡＷ画像データを現像するように前記現像手段を制御し、前記現像手段が前記ＲＡＷ画像データを現像することにより生成された、現像された画像データを前記記録媒体に記録するように前記記録手段を制御する制御手段とを備え、
前記制御手段は、前記記録媒体に保存する対象として設定されていない第１のＲＡＷ画像データが前記現像手段により現像された場合に、前記第１のＲＡＷ画像データを自動的に前記記録媒体から削除し、前記記録媒体に保存する対象として設定された第２のＲＡＷ画像データが前記現像手段により現像された場合に、前記第２のＲＡＷ画像データが前記記録媒体から削除されないように制御を行うことを特徴とする撮像装置。
【請求項２】
前記制御手段は、前記記録媒体に記録された複数の前記ＲＡＷ画像データを自動的に現像するように前記現像手段を制御し、前記現像手段により生成された複数の現像された画像データを自動的に前記記録媒体に記録するように前記記録手段を制御することを特徴とする請求項１に記載の撮像装置。
【請求項３】
前記制御手段は、前記保存対象として設定されていない複数の前記ＲＡＷ画像データを前記現像手段が現像することにより生成された、複数の現像された画像データの一つが前記記録媒体に記録される度に、前記一つの現像された画像データに対応したＲＡＷ画像データを前記記録媒体から削除することを特徴とする請求項２に記載の撮像装置。
【請求項４】
前記制御手段は、前記保存対象のＲＡＷ画像データよりも先に、前記保存対象として設定されていないＲＡＷ画像データの現像処理が行われるように、前記現像手段による、前記記録媒体に記録された複数の前記ＲＡＷ画像データの現像処理の順番を決定することを特徴とする請求項２に記載の撮像装置。
【請求項５】
前記制御手段は、前記保存対象として設定されていない複数の前記ＲＡＷ画像データが前記記録媒体に記録された場合、前記保存対象として設定されていない複数のＲＡＷ画像データのデータ量に基づいて、前記現像手段による、前記保存対象として設定されていない複数のＲＡＷ画像データの現像処理の順番を決定することを特徴とする請求項２に記載の撮像装置。
【請求項６】
前記制御手段は、前記保存対象として設定されていない複数のＲＡＷ画像データが静止画である場合、データ量が大きい順に現像処理が行われるように前記順番を決定し、前記保存対象として設定されていない複数のＲＡＷ画像データが動画である場合、データ量が小さい順に現像処理が行われるように前記順番を決定することを特徴とする請求項５に記載の撮像装置。
【請求項７】
前記記録媒体に記録される、現像された画像データのサイズおよび圧縮率を設定する手段を備え、
前記制御手段は、前記設定されたサイズおよび圧縮率の少なくともいずれかに基づいて前記順番を決定することを特徴とする請求項５または６に記載の撮像装置。
【請求項８】
前記記録手段は、前記記録媒体に記録された前記ＲＡＷ画像データが、前記保存対象として設定されているか否かを識別するための識別情報を前記記録媒体に記録し、
前記制御手段は、前記記録媒体に記録された前記識別情報に基づいて、前記ＲＡＷ画像データが前記現像手段により現像された場合に、前記記録媒体から前記ＲＡＷ画像データを削除するか否かを決定することを特徴とする請求項１に記載の撮像装置。
【請求項９】
前記記録手段は、前記ＲＡＷ画像データをファイルとして前記記録媒体に記録し、
前記識別情報を、前記ＲＡＷ画像データのファイルに格納されるメタデータ、または、前記記録媒体のファイルシステムの属性として記録することを特徴とする請求項８に記載の撮像装置。
【請求項１０】
前記制御手段は、前記撮像装置が所定のアイドル状態である場合に、前記記録媒体に記録された前記ＲＡＷ画像データを前記記録媒体から読み出して自動的に現像するように前記現像手段を制御することを特徴とする請求項１に記載の撮像装置。
【請求項１１】
現像された画像を記録する第１の記録モードと、ＲＡＷ画像と現像された画像とを記録する第２の記録モードとを含む複数の記録モードの一つを、ユーザの指示に応じて設定する手段を備え、
前記記録手段は、前記第１の記録モードと前記第２の記録モードとにおいて共に、前記記録指示に応じて、前記生成手段により生成された前記ＲＡＷ画像データを前記記録媒体に記録し、
前記設定手段は、前記設定された記録モードに応じて、前記記録指示に応じて前記記録手段により前記記録媒体に記録される前記ＲＡＷ画像データを前記記録媒体に保存する対象として設定するか否かを設定することを特徴とする請求項１に記載の撮像装置。
【請求項１２】
前記現像手段は、第１の現像処理と、前記第１の現像処理よりも処理の負荷が大きい第２の現像処理とを行い、
前記現像手段は、記録待機状態において、前記生成手段により得られた前記ＲＡＷ画像データに前記第１の現像処理を施し、前記第１の現像処理を行うことにより得られた画像データを表示部に出力し、
前記制御手段は、前記記録手段により前記ＲＡＷ画像データが前記記録媒体に記録された後、前記記録媒体に記録された前記ＲＡＷ画像データに前記第２の現像処理を自動的に施すように前記現像手段を制御することを特徴とする請求項１に記載の撮像装置。
【請求項１３】
撮像手段と、
前記撮像手段により得られた画像データを用いてＲＡＷ画像データを生成する生成手段と、
ＲＡＷ画像の記録モードと、現像された画像の記録モードとを含む、複数の記録モードの何れかをユーザの指示に応じて設定する設定手段と、
記録指示に応じて、前記生成手段により生成された前記ＲＡＷ画像データを記録媒体に記録する記録手段と、
ＲＡＷ画像データに現像処理を施し、現像された画像データを生成する現像手段と、
前記記録媒体に記録された前記ＲＡＷ画像データを現像するように前記現像手段を制御し、前記現像手段が前記ＲＡＷ画像データを現像することにより生成された、現像された画像データを前記記録媒体に記録するように、前記記録手段を制御する制御手段とを備え、
前記制御手段は、前記記録媒体に記録された前記ＲＡＷ画像データの記録モードに基づいて、前記現像された画像の記録モードで前記記録媒体に記録されたＲＡＷ画像データが前記現像手段により現像された場合に、前記現像された画像の記録モードで前記記録媒体に記録された前記ＲＡＷ画像データを自動的に前記記録媒体から削除することを特徴とする撮像装置。
【請求項１４】
前記制御手段は、前記ＲＡＷ画像の記録モードで前記記録媒体に記録されたＲＡＷ画像データが前記現像手段により現像された場合に、前記ＲＡＷ画像の記録モードで前記記録媒体に記録された前記ＲＡＷ画像データが前記記録媒体から削除されないように制御を行うことを特徴とする請求項１３に記載の撮像装置。
【請求項１５】
前記制御手段は、前記記録媒体に記録された複数の前記ＲＡＷ画像データを自動的に現像するように前記現像手段を制御し、前記現像手段により生成された、複数の現像された画像データを自動的に前記記録媒体に記録するように前記記録手段を制御することを特徴とする請求項１３に記載の撮像装置。
【請求項１６】
前記制御手段は、前記現像された画像の記録モードで記録された複数の前記ＲＡＷ画像データを前記現像手段が現像することにより生成された、複数の現像された画像データの一つが前記記録媒体に記録される度に、前記一つの現像された画像データに対応したＲＡＷ画像データを前記記録媒体から削除するように前記記録手段を制御することを特徴とする請求項１５に記載の撮像装置。
【請求項１７】
前記制御手段は、前記ＲＡＷ画像の記録モードで前記記録媒体に記録されたＲＡＷ画像データよりも先に、前記現像された画像の記録モードで前記記録媒体に記録されたＲＡＷ画像データの現像処理が行われるように、前記現像手段による、前記記録媒体に記録された複数の前記ＲＡＷ画像データの現像処理の順番を決定することを特徴とする請求項１５に記載の撮像装置。
【請求項１８】
複数の前記ＲＡＷ画像データが前記現像された画像の記録モードで記録された場合、前記現像された画像の記録モードで記録された複数のＲＡＷ画像データのデータ量に基づいて、前記現像手段による、前記現像された画像の記録モードで記録された複数のＲＡＷ画像データの現像処理の順番を決定することを特徴とする請求項１５に記載の撮像装置。
【請求項１９】
前記記録手段は、前記設定手段により設定された記録モードを識別するための識別情報を前記記録媒体に記録し、
前記制御手段は、前記記録媒体に記録された前記識別情報に基づいて、前記ＲＡＷ画像データが前記現像手段により現像された場合に、前記記録媒体から前記ＲＡＷ画像データを削除するか否かを決定することを特徴とする請求項１３に記載の撮像装置。
【請求項２０】
前記制御手段は、前記撮像装置が所定のアイドル状態である場合に、前記記録媒体に記録された前記ＲＡＷ画像データを自動的に現像するように前記現像手段を制御することを特徴とする請求項１３に記載の撮像装置。
【請求項２１】
前記現像手段は、第１の現像処理と、前記第１の現像処理よりも処理の負荷が大きい第２の現像処理とを行い、
前記現像手段は、記録待機状態において、前記生成手段により得られた前記ＲＡＷ画像データに前記第１の現像処理し、前記第１の現像処理を行うことにより得られた画像データを表示部に出力し、
前記制御手段は、前記記録手段により前記ＲＡＷ画像データが前記記録媒体に記録された後、前記記録媒体に記録された前記ＲＡＷ画像データに前記第２の現像処理を自動的に施すように前記現像手段を制御することを特徴とする請求項１３に記載の撮像装置。
【請求項２２】
撮像手段により得られた画像データを用いてＲＡＷ画像データを生成する生成ステップと、
記録指示に応じて、前記生成ステップにより生成された前記ＲＡＷ画像データを記録媒体に記録する記録ステップと、
前記記録指示に応じて前記記録媒体に記録される前記ＲＡＷ画像データを前記記録媒体に保存する対象として設定するか否かを、ユーザの指示に応じて制御する設定ステップと、
ＲＡＷ画像データに現像処理を施す現像ステップと、
前記現像ステップにより前記記録媒体に記録された前記ＲＡＷ画像データを現像し、前記現像ステップにおいて前記ＲＡＷ画像データを現像することにより生成された、現像された画像データを前記記録ステップにより前記記録媒体に記録するように制御する制御ステップとを備え、
前記制御ステップは、前記記録媒体に保存する対象として設定されていない第１のＲＡＷ画像データが現像された場合に、前記第１のＲＡＷ画像データを自動的に前記記録媒体から削除し、前記記録媒体に保存する対象として設定された第２のＲＡＷ画像データが現像された場合に、前記第２のＲＡＷ画像データが前記記録媒体から削除されないように制御を行うことを特徴とする記録方法。
【請求項２３】
撮像手段により得られた画像データを用いてＲＡＷ画像データを生成する生成ステップと、
ＲＡＷ画像の記録モードと、現像された画像の記録モードとを含む、複数の記録モードの何れかをユーザの指示に応じて設定する設定ステップと、
記録指示に応じて、前記生成ステップにより生成された前記ＲＡＷ画像データを記録媒体に記録する記録ステップと、
ＲＡＷ画像データに現像処理を施す現像ステップと、
前記現像ステップにより前記記録媒体に記録された前記ＲＡＷ画像データを現像し、前記現像ステップにおいて前記ＲＡＷ画像データを現像することにより生成された、現像された画像データを前記記録ステップにより前記記録媒体に記録するように制御する制御ステップとを備え、
前記制御ステップは、前記記録媒体に記録された前記ＲＡＷ画像データの記録モードに基づいて、前記現像された画像の記録モードで前記記録媒体に記録されたＲＡＷ画像データが現像された場合に、前記現像された画像の記録モードで前記記録媒体に記録された前記ＲＡＷ画像データを自動的に前記記録媒体から削除することを特徴とする記録方法。
【手続補正２】
【補正対象書類名】明細書
【補正対象項目名】０００９
【補正方法】変更
【補正の内容】
【０００９】
本発明においては、撮像手段と、前記撮像手段により得られた画像データを用いてＲＡＷ画像データを生成する生成手段と、記録指示に応じて、前記生成手段により生成された前記ＲＡＷ画像データを記録媒体に記録する記録手段と、前記記録指示に応じて前記記録手段により前記記録媒体に記録される前記ＲＡＷ画像データを前記記録媒体に保存する対象として設定するか否かを、ユーザの指示に応じて制御する設定手段と、ＲＡＷ画像データに現像処理を施し、現像された画像データを生成する現像手段と、前記記録媒体に記録された前記ＲＡＷ画像データを現像するように前記現像手段を制御し、前記現像手段が前記ＲＡＷ画像データを現像することにより生成された、現像された画像データを前記記録媒体に記録するように前記記録手段を制御する制御手段とを備え、前記制御手段は、前記記録媒体に保存する対象として設定されていない第１のＲＡＷ画像データが前記現像手段により現像された場合に、前記第１のＲＡＷ画像データを自動的に前記記録媒体から削除し、前記記録媒体に保存する対象として設定された第２のＲＡＷ画像データが前記現像手段により現像された場合に、前記第２のＲＡＷ画像データが前記記録媒体から削除されないように制御を行う。